(57)【要約】【課題】１個の踏段を外しただけで、円滑な清掃の実行を可能にする乗客コンベア用オイルパン清掃装置の提供。【解決手段】上記課題は、オイルパン上面に接触する清掃部材２と、踏段の前輪軸に固定する固定部材３と、この固定部材３と清掃部材２とを連結する連結部材４とを備え、踏段を移動させることで、オイルパン上の塵埃を掃き集める乗客コンベア用オイルパン清掃装置において、連結部材４を、固定部材３が踏段の前輪軸に固定した際、清掃部材２が固定部材３の後方に位置するところの後方踏段の後端下方に位置する長さとなるように設定すると共に、清掃部材２の高さを、後方踏段とオイルパンとの間の間隙Ｇより小さく設定し、しかも、連結部材４の中央部分及び清掃部材４が連結される一端側部分に、屈曲手段９、９Ａを設けた構成とすることで、達成できる。【選択図】図１
2007063008.tif 000002
【特許請求の範囲】
【請求項１】
乗客コンベアのオイルパン上面に接触する清掃部材と、乗客コンベアの複数個の踏段うち、外した踏段用の前輪軸に固定する固定部材と、この固定部材と前記清掃部材とを連結する長尺状の連結部材とを、少なくとも備え、前記踏段を移動させて前記オイルパンの上面を前記清掃部材が移動することで、前記オイルパンの清掃を行う乗客コンベア用オイルパン清掃装置において、
前記連結部材を、前記固定部材が前記踏段の前輪軸に固定した際、前記清掃部材が前記固定部材の後方に位置するところの後方踏段の後端下方に位置する長さとなるように設定すると共に、前記清掃部材の高さを、前記後方踏段と前記オイルパンとの間の間隙より小さく設定し、しかも、前記連結部材には、その連結部材の中央部分と前記清掃部材が連結される一端側部分とに、それぞれ屈曲手段を設けたことを特徴とする乗客コンベア用オイルパン清掃装置。
【発明の詳細な説明】
【技術分野】
【０００１】
本発明は、乗客コンベア用オイルパン清掃装置に関するものである。
【背景技術】
【０００２】
従来、この種の乗客コンベア用オイルパン清掃装置としては、乗客コンベアのオイルパン上面に接触する清掃部材と、乗客コンベアの複数個の踏段うち、外した踏段用の前輪軸に固定する固定部材と、この固定部材と前記清掃部材とを連結する連結部材とを、少なくとも備え、乗客コンベアの踏段を移動させることで、オイルパンの上面の塵埃を清掃部材によって掃き集めることにより、オイルパンの清掃を行うようにしたものが知られていた（例えば、特許文献１参照）。
【特許文献１】特開２００２−２００７２号公報（段落番号００１２〜段落番号００１４、図１〜図２）
【発明の開示】
【発明が解決しようとする課題】
【０００３】
しかしながら、上記特開２００２−２００７２号公報などに記載された乗客コンベア用オイルパン清掃装置を、上部水平面部、緩傾斜面部、急傾斜面部及び下部水平面部からなるオイルパンに使用した場合、次のような問題があった。
【０００４】
すなわち、図８に示すように、上記特開２００２−２００７２号公報の乗客コンベア用オイルパン清掃装置１００は、オイルパン６０の緩傾斜面部６０Ｂにおいては、踏段の前輪軸８０と緩傾斜面部６０Ｂとの間の距離が最大となり、かつ、固定部材３０から清掃部材２０までの長さが短いため、清掃部材２０が緩傾斜面部６０Bから離れた状態で移動してしまうので、緩傾斜面部６０Ｂ上の塵埃をかき集めることができなくなってしまう。
【０００５】
そこで、清掃部材２０が緩傾斜面部６０Bに接触するように、固定部材と清掃部材とを連結する連結部材４０を長くすると、オイルパン６０の急傾斜面部６０Ｃから下部水平面部６０Ｄに変わる部分で、図９に示すように、乗客コンベア用オイルパン清掃装置２００が引掛かかってしまい、その乗客コンベア用オイルパン清掃装置２００全体を下部水平面部６０Ｄ上方に移動させることができなくなってしまう。なお、図８及び図９において、符号７０Ａは、後方踏段を、かつ、符号７０Ｎは、先行踏段を、それぞれ表しており、同一符号は同一内容を表している。
【０００６】
本発明は、上述した従来技術における実状からなされたもので、その目的は、急傾斜面部があるオイルパンであっても、そのオイルパンの清掃を円滑に行わせることを可能にする乗客コンベア用オイルパン清掃装置を提供することにある。
【課題を解決するための手段】
【０００７】
上記目的を達成するために、本発明は、乗客コンベアのオイルパン上面に接触する清掃部材と、乗客コンベアの複数個の踏段うち、外した踏段用の前輪軸に固定する固定部材と、この固定部材と前記清掃部材とを連結する長尺状の連結部材とを、少なくとも備え、前記踏段を移動させて前記オイルパンの上面を前記清掃部材が移動することで、前記オイルパンの清掃を行う乗客コンベア用オイルパン清掃装置において、前記連結部材を、前記固定部材が前記踏段の前輪軸に固定した際、前記清掃部材が前記固定部材の後方に位置するところの後方踏段の後端下方に位置する長さとなるように設定すると共に、前記清掃部材の高さを、前記後方踏段と前記オイルパンとの間の間隙より小さく設定し、しかも、前記連結部材には、その連結部材の中央部分と前記清掃部材が連結される一端側部分とに、それぞれ屈曲手段を設けたことを特徴としている。
【発明の効果】
【０００８】
本発明によれば、上部水平面部、緩傾斜面部、急傾斜面部及び下部水平面部からなるオイルパンであつても、そのオイルパン上を、清掃部材がオイルパン上面から大きく離れることなく、円滑に移動して、そのオイルパン上の塵埃を下部水平面部に掃き集める作業を、１個の踏段を外しただけで、可能にした乗客コンベア用オイルパン清掃装置がえられる。
【発明を実施するための最良の形態】
【０００９】
以下、本発明の一実施形態に係る乗客コンベア用オイルパン清掃装置を、図１〜図７に基づいて、詳説する。図１は、本発明の一実施形態に係る乗客コンベア用オイルパン清掃装置の正面図である。図２は、本発明の一実施形態に係る乗客コンベア用オイルパン清掃装置の上面図である。図３は、本発明の一実施形態に係る乗客コンベア用オイルパン清掃装置の側面図である。図４は、本発明の一実施形態に係る乗客コンベア用オイルパン清掃装置によって清掃されるところのオイルパンと踏段との関係を示す図である。図５は、本発明の一実施形態に係る乗客コンベア用オイルパン清掃装置によるオイルパンの緩傾斜面部分の清掃状態説明図である。図６は、本発明の一実施形態に係る乗客コンベア用オイルパン清掃装置によるオイルパンの急傾斜面部分の清掃状態説明図である。図７は、本発明の一実施形態に係る乗客コンベア用オイルパン清掃装置によるオイルパンの下部水平面部分の清掃状態説明図である。
【００１０】
図１〜図３に示す乗客コンベア用オイルパン清掃装置１は、熊手状の清掃部材２と、固定部材３と、長尺板状の連結部材４とから、少なくとも構成されている。清掃部材２は、後述する乗客コンベア５のオイルパン６上面の塵埃を掃き集める機能を有している。固定部材３は、後述する乗客コンベア５の複数個の踏段７〜７Ｎうち、外した踏段７の前輪軸８を挟持する断面コ字状の挟持部３Ａと、この挟持部３Ａを前輪軸８に締結する締結具３Ｂとからなっている。複数個の踏段７〜７Ｎは、いずれも、同一形状同一寸法としてある。
【００１１】
連結部材４は、固定部材３と清掃部材２とを連結する機能を有している。連結部材４には、図２に示すように、その連結部材４の一端側４Ａに清掃部材２が連結部材４の長手方向に対して直角となるように固定され、かつ、その連結部材４の他端側４Ｂに固定部材３が固定されている。連結部材４には、図１及び図２などに示すように、その連結部材４の中央部分４Ｃと清掃部材２が連結される一端側４Ａ部分に、それぞれ屈曲手段９、９Ａが設けられている。そのために、連結部材４は、屈曲手段９の左右及び屈曲手段９Aの左右で、折れ曲がった状態にすることができる。清掃部材２の長さは、一回の清掃作業で、オイルパン６上の塵埃が集められるようにするために、オイルパン６の横幅寸法と略同じくなるように設定されている。
【００１２】
上記乗客コンベア用オイルパン清掃装置１によって清掃されるところの乗客コンベア５は、鋼板製のオイルパン６と、踏段７とを有している。オイルパン６は、図４に示すように、上部水平面部６Ａ、緩傾斜面部６Ｂ、急傾斜面部６Ｃ及び下部水平面部６Ｄからなっている。踏段７〜７Ｎは、踏段チェーン（図示せず）によって連結されており、図４の矢印Ｐ方向に回転移動するように、オイルパン６の上方に配設されている。踏段チェーンには、踏段７〜７Ｎのそれぞれの前輪軸８〜８Ｎが取り付けられている。
【００１３】
連結部材４の長さは、固定部材３を前輪軸８に固定した際、清掃部材２が、踏段７〜７Ｎうちの外した踏段７の後方に位置するところの踏段７Ａ（以下、後方踏段７Aと称す）の後端部下方に略位置する長さとなるように設定する。そのためには、乗客コンベア用オイルパン清掃装置１の全長（清掃部材２から固定部材３までの長さ）Ｌ１が、踏段７の踏面の長さＬ２の約２倍となるようにしてある。清掃部材２の高さ寸法Ｈと、踏段７〜７Ｎとオイルパン６との間の間隙Gとの関係が、Ｈ＜Ｇとなるように、清掃部材２の高さが設定されている（図６参照）。
【００１４】
上記構成の乗客コンベア用オイルパン清掃装置１による清掃は、次のようにして、行われる。
【００１５】
まず、踏段７を外した後、清掃部材２をオイルパン６に接触させた状態にすると共に、固定部材３の挟持部３Ａを前輪軸８に締結具３Ｂで締結することによって、踏段７〜７Nの移動によりオイルパン６の上面を清掃部材２が移動するように、乗客コンベア用オイルパン清掃装置１を設置する。
【００１６】
その後、踏段チェーンを、図示しない駆動装置によって移動させることにより、オイルパン６上を、上部水平面部６Ａ―緩傾斜面部６Ｂ―急傾斜面部６Ｃ―下部水平面部６Ｄの順で、乗客コンベア用オイルパン清掃装置１を移動させる。このように、乗客コンベア用オイルパン清掃装置１を移動させることにより、オイルパン６上の塵埃を、オイルパン６の下部水平面部６Dに向って掃き集めることで、オイルパン６の清掃が行われる。
【００１７】
その場合、オイルパン６の緩傾斜面部６Ｂにおいては、図５に示すように、前輪軸８と緩傾斜面部６Ｂとの距離が最も大きくなるが、乗客コンベア用オイルパン清掃装置１の全長Ｌ１が、固定部材３を踏段７の前輪軸８に固定した状態で清掃部材２が固定部材３の後方に位置するところの後方踏段７Aの後端下方に位置する長さとなるように設定されているので、乗客コンベア用オイルパン清掃装置１の清掃部材２が緩傾斜面部６Ｂを離れることなく、その清掃部材２によって緩傾斜面部６Ｂ上の塵埃が円滑に掃き集められる。
【００１８】
また、オイルパン６の緩傾斜面部６Ｂから急傾斜面部６Ｃに変わる部分おいては、図６に示すように、前輪軸８及び後方踏段７Aの前輪軸８Aと急傾斜面部６Ｃとの距離が最も小さくなるが、清掃部材２の高さHが後方踏段７Aとオイルパン６との間の間隙Gより小さく設定されているので、清掃部材２が後方踏段７Aに衝突することないため、乗客コンベア用オイルパン清掃装置１がオイルパン６の急傾斜面部６Ｃ上を円滑に移動して、緩傾斜面部６Ｂ上の塵埃と一緒に急傾斜面部６Ｃ上の塵埃が円滑に掃き集められる。
【００１９】
また、オイルパン６の急傾斜面部６Ｃから下部水平面部６Dにおいては、図７に示すように、連結部材４の中央部分４Ｃが屈曲手段９により折れて、連結部材４の一端側４Ａ側が急傾斜面部６Ｃに沿い、かつ、連結部材４の他端側４Ｂ側が下部水平面部６Dに沿う状態となると共に、連結部材４の清掃部材２が連結される一端側４Ａ部分が屈曲手段９Aにより折れて、清掃部材２が後方踏段７Aに接触することがないので、乗客コンベア用オイルパン清掃装置１が、急傾斜面部６Ｃから下部水平面部６Ｄへと円滑に移動して、オイルパン6の上部水平面部６Ａ、緩部６Ｂ傾斜面及び急傾斜面部６Ｃの上の塵埃並びに下部水平面部６D上の塵埃と一緒に、下部水平面部６Dに集められる。
【００２０】
下部水平面部６Dに集められた塵埃は、掃除機などによって、吸引することで、オイルパン６から取り除く。その後、乗客コンベア用オイルパン清掃装置１を前輪軸８から外して、外した踏段７を前輪軸８に取り付けることにより、清掃作業が終了する。
【００２１】
以上のように、上記乗客コンベア用オイルパン清掃装置１によれば、上部水平面部６Ａ、緩傾斜面部６Ｂ、急傾斜面部６Ｃ及び下部水平面部６Ｄからなっているオイルパン６であっても、１個の踏段７を外しただけで、乗客コンベア用オイルパン清掃装置１を設置することができ、かつ、乗客コンベア用オイルパン清掃装置１を後方踏段７Aに衝突させることなく、円滑に移動させることができ、清掃作業性が向上する。
【図面の簡単な説明】
【００２２】
【図１】本発明の一実施形態に係る乗客コンベア用オイルパン清掃装置の正面図である。
【図２】本発明の一実施形態に係る乗客コンベア用オイルパン清掃装置の上面図である。
【図３】本発明の一実施形態に係る乗客コンベア用オイルパン清掃装置の側面図である。
【図４】本発明の一実施形態に係る乗客コンベア用オイルパン清掃装置によって清掃されるところのオイルパンと踏段との関係を示す図である。
【図５】本発明の一実施形態に係る乗客コンベア用オイルパン清掃装置によるオイルパンの緩傾斜面部分の清掃状態説明図である。
【図６】本発明の一実施形態に係る乗客コンベア用オイルパン清掃装置によるオイルパンの急傾斜面部分の清掃状態説明図である。
【図７】本発明の一実施形態に係る乗客コンベア用オイルパン清掃装置によるオイルパンの下部水平面部分の清掃状態説明図である。
【図８】従来例に係る乗客コンベア用オイルパン清掃装置によるオイルパンの緩傾斜面部分の清掃状態説明図である。
【図９】従来例に係る乗客コンベア用オイルパン清掃装置によるオイルパンの下部水平面部分の清掃状態説明図である。
【符号の説明】
【００２３】
１    乗客コンベア用オイルパン清掃装置
２    清掃部材
３    固定部材
３Ａ  挟持部
３Ｂ  締結具
４    連結部材
４Ａ  一端側
４Ｂ  他端側
４Ｃ  中央部分
５    乗客コンベア
６    オイルパン
６Ａ  上部水平面部
６Ｂ  緩傾斜面部
６Ｃ  急傾斜面部
６Ｄ  下部水平面部
７〜７Ｎ    踏段
８〜８Ｎ    前輪軸
９、９Ａ    屈曲手段
Ｈ    清掃部材の高さ寸法
Ｇ    間隙
Ｌ１  乗客コンベア用オイルパン清掃装置の全長
Ｌ２  踏段の長さ
【図１】
2007063008.tif 000003
【図２】
2007063008.tif 000004
【図３】
2007063008.tif 000005
【図４】
2007063008.tif 000006
【図５】
2007063008.tif 000007
【図６】
2007063008.tif 000008
【図７】
2007063008.tif 000009
【図８】
2007063008.tif 000010
【図９】
2007063008.tif 000011